(57)【要約】  吸収性物品及び拭き取り用品を含む吸収性物品組み合わせ体。吸収性物品は、１種類以上のローションを含んでよく、拭き取り用品も１種類以上のローションを含んでよい。拭き取り用品を個別にパッケージ化し、個別にパッケージ化された吸収性物品に取付けることができる。
2009542402.tif 000002
【特許請求の範囲】
【請求項１】
吸収性物品と拭き取り用品との組み合わせ体であって、
ａ．１種類以上のローションを含む吸収性物品と、
ｂ．該吸収性物品に接合するパウチと、からなり、該パウチはその中に配置された拭き取り用品を有し、該拭き取り用品が１種類以上のローションを含むことを特徴とする、吸収性物品と拭き取り用品との組み合わせ体。
【請求項２】
前記拭き取り用品の前記１種類以上のローションのうちの少なくとも１種類が、前記吸収性物品の前記１種類以上のローションのうちの少なくとも１種類に関連する、請求項１に記載の吸収性物品と拭き取り用品との組み合わせ体。
【請求項３】
前記拭き取り用品の前記１種類以上のローションのうちの少なくとも１種類が、前記吸収性物品の前記１種類以上のローションのうちの少なくとも１種類に対して補完的である、請求項１に記載の吸収性物品と拭き取り用品との組み合わせ体。
【請求項４】
前記拭き取り用品の前記１種類以上のローションのうちの少なくとも１種類が、前記吸収性物品の前記１種類以上のローションのうちの少なくとも１種類に対して相乗的である、請求項１に記載の吸収性物品と拭き取り用品との組み合わせ体。
【請求項５】
前記吸収性物品の前記１種類以上のローションと、前記拭き取り用品の前記１種類以上のローションとが、同一の効果をもたらす、請求項４に記載の吸収性物品と拭き取り用品との組み合わせ体。
【請求項６】
前記同一の効果が、改善された皮膚の衛生、改善された皮膚の健康、ユーザの体への身体排出物付着の低減、改善された清浄の容易さ、向上した皮膚の快適さ、低減した衣服の汚れ、低減した漏れ、臭いの低減、感情的効果、若しくはこれらの組み合わせからなる群から選択される、請求項１〜５のいずれか一項に記載の吸収性物品と拭き取り用品との組み合わせ体。
【請求項７】
前記感情的効果が、ユーザに対する清潔感、乾いた感覚、又は爽快さである、請求項６に記載の吸収性物品と拭き取り用品との組み合わせ体。
【請求項８】
前記吸収性物品の前記１種類以上のローションと、前記拭き取り用品の前記１種類以上のローションとが、拡張された効果を提供する、請求項１〜７のいずれか一項に記載の吸収性物品と拭き取り用品との組み合わせ体。
【請求項９】
前記拭き取り用品が、湿潤拭き取り用品である、請求項１〜８のいずれか一項に記載の吸収性物品と拭き取り用品との組み合わせ体。
【請求項１０】
パッケージを含み、前記吸収性物品の少なくとも一部と、前記拭き取り用品の少なくとも一部とが該パッケージ内に配置される、請求項１〜９のいずれか一項に記載の吸収性物品と拭き取り用品との組み合わせ体。
【発明の詳細な説明】
【技術分野】
【０００１】
本発明は、広く、使い捨て吸収性物品及び拭き取り用品の分野に関する。
【背景技術】
【０００２】
生理用ナプキン、ライナー、タンポンなどの吸収性物品は、一般に、経血又は他の身体排出物を吸収するために、女性に用いられる。おむつ及び失禁用物品は、尿及び／又は糞便などの身体排出物を吸収及び収容するために、乳幼児又は他の失禁症状のある人に用いられる。これらの物品の使用及び交換は、面倒で不衛生である場合が多い。物品が排出物の収容に失敗したため、又は、物品を取り外した後、ユーザの体又は衣類に残った排出物のために、物品を交換する人の手や体が汚れる場合がある。更に、ユーザの体又は衣類の一部を清浄にすることが望ましい場合があり、これもまた物品を交換する人の手を汚す場合がある。従って、吸収性物品を使用又は交換の間、汚れた皮膚及び／又は衣類を清浄にする手段を有することが有益である。
【０００３】
汚れた表面を清浄にする１つの手段は、拭き取り用品である。かかる拭き取り用品としては、例えば、湿潤拭き取り用品又は乾燥拭き取り用品を挙げることができる。清浄のために用いられる湿潤拭き取り用品は、不織布材料から製造され、液体清浄溶液を含む場合が多い。一部の拭き取り用品は、芳香剤及び／又はローションを含む。典型的には、かかる湿潤拭き取り用品は、色の点で概して均一であり、形状は矩形である。複数の拭き取り用品を共通のパッケージ内に共にパッケージ化する場合が多いが、拭き取り用品を個別にパッケージ化してもよい。
【０００４】
月経用吸収性物品及び成人用失禁パッドは身体排出物を扱うために用いられるため、ユーザは、排出物に接触する身体領域の清浄さ及び健康について気遣いする場合がある。多くの吸収性物品は、物品の使用中、長期間にわたって、身体排出物が皮膚に接触した状態で保持する場合がある。このように皮膚との接触が増すことにより、爽快さ及び／若しくは清潔感を低下させる、並びに／又は、悪臭若しくは悪臭の知覚を増加させる可能性がある。更に、吸収性物品の使用により、未処理の身体排出物がユーザの皮膚及び毛髪に残る場合があり、これが皮膚衛生を低下させる場合がある。
【先行技術文献】
【特許文献】
【０００５】
【特許文献１】米国特許第５，３４６，４８６号
【特許文献２】米国特許第５，００９，６５３号
【特許文献３】米国特許第４，９５０，２６４号
【特許文献４】米国特許第４，９１７，６９７号
【特許文献５】米国特許第４，６８７，４７８号
【特許文献６】米国特許第４，５８９，８７６号
【特許文献７】米国特許第４，２８５，３４３号
【特許文献８】米国特許第６，９１１，０２２号
【特許文献９】米国特許第４，５５６，１４６号
【特許文献１０】米国特許第５，５６９，２３０号
【特許文献１１】米国特許第４，７３８，６７６号
【特許文献１２】米国特許第６，０５９，７６４号
【特許文献１３】米国特許第５，９５１，５３６号
【特許文献１４】米国特許第５，８２４，００４号
【特許文献１５】米国特許第５，７０２，３８２号
【特許文献１６】米国特許第５，６８３，３７５号
【特許文献１７】米国特許第５，６５８，２６９号
【特許文献１８】米国特許第５，４３９，４５８号
【特許文献１９】米国特許第５，３０４，１６１号
【特許文献２０】米国特許第５，３００，０５４号
【特許文献２１】米国特許出願公開第２００６／０１３５９２０号
【特許文献２２】米国特許出願公開第２００４／００６４１１７号
【特許文献２３】米国特許出願公開第２００３／０２０６９４３号
【特許文献２４】欧州特許第８０８１５１号
【特許文献２５】欧州特許第７６３３４１号
【特許文献２６】国際特許公開第００／５７８４３号
【特許文献２７】米国特許第５，０５９，２８２号
【特許文献２８】米国特許第４，７５５，４２１号
【特許文献２９】米国特許第４，４８１，２４３号
【特許文献３０】国際特許公開第２００５／１１５２９５号
【非特許文献】
【０００６】
【非特許文献１】「ＩＳＯ９０９２：１９８８、布地−不織布の定義（Textiles-Nonwovens-Definition）」（国際標準化機構、１９８８年）
【発明の概要】
【発明が解決しようとする課題】
【０００７】
このように、吸収性物品と拭き取り用品との組み合わせ体を提供することが望ましい。ユーザの皮膚衛生、皮膚の健康、皮膚感覚及び／又は皮膚の柔軟性を改善する、吸収性物品と拭き取り用品との組み合わせ体を提供することもまた望ましい。更に、該組み合わせ体のユーザの皮膚及び／又は毛髪に残る身体排出物の量を低減する、吸収性物品と拭き取り用品との組み合わせ体を提供することが望ましい。更に、清浄の容易さを改善させ、皮膚の快適さを向上させ、臭いを低減し、並びに／又はユーザに清潔感、乾いた感覚、又は爽快さをもたらす、吸収性物品と拭き取り用品との組み合わせ体を提供することが望ましい。
【課題を解決するための手段】
【０００８】
１種類以上のローションを含む吸収性物品と、吸収性物品に接合するパウチと、からなり、パウチはその中に配置された拭き取り用品を有し、この拭き取り用品が１種類以上のローションを含む、吸収性物品組み合わせ体を提供する。拭き取り用品の１種類以上のローションは、吸収性物品の１種類以上のローションと関連し、補完的であり、相乗的であり、及び／又は同一であってよい。特定の実施形態では、拭き取り用品の１種類以上のローションと、吸収性物品の１種類以上のローションとが、同一の効果をもたらすことができる。拭き取り用品の１種類以上のローション及び／又は吸収性物品の１種類以上のローションは、それぞれ又は共同で、例えば、改善された皮膚の衛生、改善された皮膚の健康、ユーザの体への身体排出物付着の低減、改善された清浄の容易さ、向上した皮膚の快適さ、臭いの低減、例えば、清潔感、乾いた感覚、又は爽快さである、感情的効果、若しくはこれらの組み合わせのような、１つ以上の効果をもたらすことができる。拭き取り用品は、例えば、パウチのように、個別にパッケージ化してよい。特定の実施形態では、個別にパッケージ化された拭き取り用品を、個別にパッケージ化された吸収性物品に取り付けてよい。１種類以上のローションを含む吸収性物品と、１種類以上のローションを含む拭き取り用品とを含むパッケージも提供する。
【図面の簡単な説明】
【０００９】
【図１】本発明の一実施形態の断面側面図。
【発明を実施するための形態】
【００１０】
本発明は、１種類以上のローションを含んでよい、例えば湿潤拭き取り用品のような拭き取り用品に関する。拭き取り用品は、１種類以上のローションを含んでよい吸収性物品と併用することができる。特定の実施形態では、ローションは、例えば、ユーザの体への身体排出物付着の低減によるような、皮膚の衛生を改善し、清浄の容易さを改善し、皮膚の快適さを向上させ、臭いを低減し、並びに／又は、ユーザに対する清潔感、乾いた感覚、又は爽快さをもたらすことができる。ローションは、パンティ及び／又は他の衣類の汚れ、及び／又は漏れを低減することができる。１種類以上のローションを含む拭き取り用品は、個別にパッケージ化してよい。個別にパッケージ化された拭き取り用品を、個別にパッケージ化された吸収性物品に接合してよい。特定の実施形態では、吸収性物品は１種類以上のローションを含んでよい。
【００１１】
吸収性物品と拭き取り用品との組み合わせ体は、１つ以上の様々な利益をもたらすことができる。例えば、拭き取り用品は清浄のために提供することができ、これは物理的及び／又は感情的に着用者の快適性を向上させることができる。拭き取り用品の使用はまた、経血又は他の身体排出物に関連する臭い及び／又は知覚された臭いを低減することもできる。更に、拭き取り用品の使用は、爽快さ及び／又は清潔感をもたらすことにより、ユーザに感情的効果をもたらすことができる。拭き取り用品及び／又は吸収性物品に少なくとも１種類のローションの添加は、例えば、ユーザの皮膚及び毛髪への任意の身体排出物の付着の低減、皮膚の湿潤並びに／又は鎮静化、及び／又は臭い制御成分のローションへの組み込み、などにより清浄の容易さを改善させるような利益を強化できる。更に、特定の実施形態では、吸収性物品の１種類以上のローションは、通常の接触、ユーザの動作、及び／又は体温によりユーザの皮膚及び毛髪に移動可能であってよい。拭き取り用品の１種類以上のローションは、拭き取り用品を使用するときに、ユーザの皮膚及び毛髪へ移動可能であってよい。従って、吸収性物品から移動したローションは、拭き取り用品の１種類以上のローションと共に機能し、関連し、補完的であり、相乗的であり、及び／又は拡張された効果をもたらす。特定の実施形態では、皮膚のローションは、親水性バリアを作製することができる。ローションは、皮膚に留まる排出物を低減することができ、吸収性物品への排出物の移動を補助することができ、これらは漏れを低減できる。
【００１２】
本明細書で使用するとき、用語「吸収性物品」は、例えば、身体排出物のような物質を吸収及び／又は収容するデバイスを指す。典型的な吸収性物品を、着用者の体に接触又は近接するように配置し、体から排出される様々な排出物を吸収及び収容することができる。
【００１３】
本明細書で使用するとき、用語「個別にパッケージ化された」は、１個の単位体のみが特定のパッケージにパッケージ化されることを意味する。
【００１４】
本明細書で使用するとき、「吸収性物品組み合わせ体」とは、それに接合した拭き取り用品を備える吸収性物品を指す。
【００１５】
本明細書で使用するとき、用語「接合した」は、第１部材又は構成要素が、第２部材又は構成要素に直接的又は間接的に取付けられ、貼付され、又は別の方法で物理的に連結された状態を指す。間接的に接合された部材又は構成要素の例は、第１部材又は構成要素が、中間部材又は構成要素に貼付け又は連結されるところであってよく、中間部材又は構成要素は、貼付け又は連結されるところであってよい。第１部材又は構成要素と、第２部材又は構成要素との接合関係は、固定的又は解放可能であってよい。
【００１６】
本明細書で使用するとき、用語「固定的に接合された」は、取付けられた構成要素類の１つを少なくとも部分的に破壊せずに取り外すことのできない連結を指す。本明細書で使用するとき、用語「解放可能に接合された」は、容易に解放されることを意図した連結を指す。
【００１７】
本明細書で使用するとき、用語「拭き取り用品」は、ユーザの皮膚又は表面を清浄にするために用いることができる１体の材料を指す。拭き取り用品は、例えば、不織布材料、紙材料、織布材料、編物材料、房状材料、糸又は長繊維の結合を組み込むステッチボンド材料、又はウェットミリングによりフェルト化された材料のような任意の好適な材料で製造することができる。本明細書で使用するとき、不織布材料は「摩擦、及び／又は粘着、及び／又は接着により結合した、一方向又はランダムに配向された繊維の、加工されたシート、ウェブ、又はバット紙であり、織布材料、編物材料、房状材料、糸又は長繊維の結合を組み込むステッチボンド材料、又はウェットミリングによりフェルト化された紙や製造物を除いたもの」（「ＩＳＯ９０９２：１９８８、布地−不織布の定義（Textiles-Nonwovens-Definition）」（国際標準化機構、１９８８年））である。このように、拭き取り用品は「不織布拭き取り用品」、即ち、不織布基材を含む拭き取り用品であってよい。拭き取り用品は、「紙拭き取り用品」、即ち、例えば、トイレットペーパー又はティッシュペーパーのような湿式基材のような紙基材を含む拭き取り用品であってもよい。
【００１８】
本明細書で使用するとき、用語「湿潤拭き取り用品」は、パッケージ化前に任意の流体で湿潤された基材を含む拭き取り用品を指す。
【００１９】
本明細書で使用するとき、用語「ローション」は、例えば、ユーザの皮膚又は毛髪のような、それが適用される表面に効果をもたらすことを意図された、任意の様々な溶液、懸濁液、混合物、エマルション、クリーム、軟膏、膏薬、医薬品等を含んでよい局所用製剤である。ローションは、流体又は部分的に流体（即ち、半固体）である物質であってよい。
【００２０】
本明細書で使用するとき、用語「ローションの有効量」は、吸収性物品及び／又は拭き取り用品を適用したとき、目的とする効果をもたらすのに有効である特定のローションの量を指す。
【００２１】
印刷に関連して使用するとき、用語「画像」は、任意の種類のマーク、図、絵、識別コード、記号、像、模様、又は、例えば単語、専門用語、数、文章若しくは指示のような文を含む。画像はまた、直線、線分、曲線、帯、矢印、着色領域、又は、ユーザに合図若しくは指針を提供する目的を有する任意の他の印刷された印であってもよい。
【００２２】
図１は、生理用ナプキン２１とパウチ２５内に存在する個別にパッケージ化された拭き取り用品２３とを含む、吸収性製品組み合わせ体２０を示す断面側面図である。この実施形態では、パウチ２５は、接合手段２７により生理用ナプキン２１に接合されている。パウチ２５は、生理用ナプキン２１に解放可能に又は固定的に接合することができる。パウチ２５を生理用ナプキン２１に接合するために任意の好適な手段を使用することができる。好適な接合手段２７の他の例は、例えば、感圧性接着剤のような接着剤である。特定の実施形態では、生理用ナプキン２１とパウチ２５は、例えば、ホットメルト糊のような糊付着を使用して解放可能に接合される。生理用ナプキン２１は、生理用ナプキン２１に解放可能に接合又は接合されていない解放式包装紙２２を有してよい。解放式包装紙２２は、生理用ナプキン２１を部分的又は完全に取り囲んでよい。特定の実施形態では、パウチ２５は、生理用ナプキンの解放式包装紙２２に解放可能に接合することができる。別の方法として、又は追加で、パウチ２５は固定的に接合することができる。
【００２３】
図１に示した生理用ナプキン２１は、身体面側面２８と、対向する衣類面側面２６とを有する。身体面側面２８はトップシートを含んでよく、衣類面側面２６はトップシートに接合する液体不透過性バックシートを含んでよい。生理用ナプキン２１は、少なくとも部分的にトップシートとバックシートとの間に位置する吸収性コアを更に含んでよい。図示したパウチ２５は、外向き面側面２４と、対向する内向き面側面２９とを有する。パウチ２５の内向き面側面２９は、生理用ナプキン２１の衣類面側面２６に接合してよい。図１は、衣類面側面２６の中央で、生理用ナプキン２１に接合するパウチ２５を示す。パウチ２５は、生理用ナプキン２１、解放式包装紙２２、又は生理用ナプキン２１を封入するパッケージ上の、任意の好適な位置で生理用ナプキン２１に接合することができる。特定の実施形態では、パウチ２５は、ナプキン２１の一方の端部３０で生理用ナプキン２１に接合する。或いは、パウチ２５は、生理用ナプキン２１の身体面側面２８上に位置してよい。これらの位置により、拭き取り用品２３を収容するパウチ２５を、生理用ナプキン２１を開封する前に又は開封することなく取り外し、使用することを可能にできる。
【００２４】
特定の実施形態では、生理用ナプキン２１は、それぞれが長手方向側縁部から延びる１対のフラップを含んでよい。好適な生理用ナプキンは、例えば、米国特許第５，３４６，４８６号、同第５，００９，６５３号、同第４，９５０，２６４号、同第４，９１７，６９７号、同第４，６８７，４７８号、同第４，５８９，８７６号、及び同第４，２８５，３４３号に記載されている。かかる実施形態では、生理用ナプキン２１のフラップは、トップシートに面する関係でトップシートに折り重なり、拭き取り用品２３を収容するパウチ２５は、トップシートに面する関係が維持されるようにフラップに解放可能に貼付される。かかる配置は、例えば、米国特許第６，９１１，０２２号に記載されている。
【００２５】
拭き取り用品を保持するのに好適な任意のパウチを用いてよい。特定の実施形態では、パウチは、取付け前に吸収性物品から分離することができる。例えば、吸収性物品から分離されたパウチは、吸収性物品の構成要素を含まない場合がある。他の実施形態では、解放式包装紙２２は拭き取り用品を収容するためにフラップ（又はパウチ）を含んでよい。好適なフラップ（又はパウチ）は、例えば、米国特許第４，５５６，１４６号及び同第５，５６９，２３０号に記載されている。吸収性物品は、吸収性物品を取り囲み個々のパッケージを形成する解放式包装紙２２を含んでよく、パウチは、例えば、米国特許第５，５６９，２３０号に記載されているパウチのような、解放式包装紙２２の一部を含む。
【００２６】
図１に示した生理用ナプキン２１に関して、生理用ナプキン２１は、例えば、可撓性ポリ包装紙のようなものに個別にパッケージ化されてよい。特定の実施形態では、生理用ナプキン２１の解放式包装紙２２は、生理用ナプキン２１を取り囲み、パッケージを形成することができる。個別に包装された生理用ナプキンは、例えば、箱又はポリバッグのような袋のような小売りパッケージにパッケージ化されてよい。
【００２７】
図１は吸収性物品として生理用ナプキン２１を示すが、パンティライナー、失禁用物品、陰唇間パッド、又は乳幼児用おむつのような、任意の好適な吸収性物品を使用することができる。好適なパンティライナーは、米国特許第４，７３８，６７６号に開示されている。他の吸収性物品は、例えば、米国特許第６，０５９，７６４号、同第５，９５１，５３６号、同第５，８２４，００４号、同第５，７０２，３８２号、同第５，６８３，３７５号、同第５，６５８，２６９号、同第５，４３９，４５８号、同第５，３０４，１６１号、及び同第５，３００，０５４号に記載されている。
【００２８】
吸収性物品は、１種類以上のローションを更に含んでよい。吸収性物品に適用するのに好適な任意のローションを使用することができる。好適なローションとしては、例えば、ユーザの体への身体排出物付着の低減、改善された清浄の容易さ、向上した皮膚の快適さ、臭いの低減、及び／又は、ユーザに対する清潔感、乾いた感覚、又は爽快さをもたらすローションが挙げられる。特定の実施形態では、１種類以上のローションとしては、例えば、鎮静芳香又は他の成分を含むローションなど、生理痛を低減する及び／又はなくすことができるローションが挙げられる。
【００２９】
ローションは、吸収性物品上の任意の好適な位置に適用することができる。例えば、生理用ナプキン、パンティライナー、乳幼児用おむつ、陰唇間パッド、又は失禁用物品など、トップシートを含む吸収性物品の場合のような特定の実施形態では、１種類以上のローションを吸収性物品のトップシート上に配置してよい。ローションは、例えば、吸収性物品の表面全体又はその一部に、任意の好適な方式で吸収性物品に適用することができる。例えば、ローションは、吸収性物品の長手方向中心線に並んだ１本以上の縞で適用することができ、及び／又は、吸収性物品に対して不均一な方式で適用することができる。ローションを含む好適な吸収性物品は、例えば、米国特許出願公開第２００６／０１３５９２０号、同第２００４／００６４１１７号、及び同第２００３／０２０６９４３号に記載されている。任意の好適な量の１種類以上のローションを吸収性物品に適用することができる。特定の実施形態では、吸収性物品は、１種類以上のローションの有効量を収容することができる。
【００３０】
特定の実施形態では、拭き取り用品２３は１種類以上のローションを含む。例えば、水性又は非水性ローションなどの、拭き取り用品に適用するのに好適な任意のローションを用いてよい。好適なローションとしては、例えば、ユーザの体への身体排出物付着の低減、改善された清浄の容易さ、向上した皮膚の快適さ、臭いの低減、及び／又は、ユーザに対する清潔感、乾いた感覚、又は爽快さをもたらし、ユーザの衣類の汚れる確率を低減させ、並びに／又は漏れを低減するローションが挙げられる。特定の実施形態では、ローションは、皮膚からの汚れ除去を補助することにより、拭き取り用品の清浄能力を向上させることができる。ローションは、これに併せて或いは代わりの方法として、皮膚と拭き取り用品との間の摩擦を低減することにより、及び／又は、例えば、アロエ又はカモミールなどの皮膚を鎮静化できる物質を含有することにより、皮膚に効果をもたらすこともできる。好適なローションの例は、例えば、欧州特許第８０８１５１号、同第７６３３４１号、及び国際特許公開第００／５７８４３号に開示されている。拭き取り用品２３は、例えばシリコーンなど、ユーザの体への身体排出物付着の阻止を補助できる物質、例えばアロエ若しくはビタミンＥなど、ハンドローションに用いられるものと類似した皮膚コンディショニング物質、例えばマンサクなど、皮膚に適用するための他の物質、及び／又は拭き取り用品に含むのに好適な任意の他の物質を収容することができる。
【００３１】
ローションは、任意の好適な方法で、例えばユーザによって使用される前など、任意の好適なときに、拭き取り用品２３に添加することができる。例えば、拭き取り用品２３をローションに含浸してよく、及び／又は、拭き取り用品２３の１側面に適用してもよい。特定の実施形態では、第１ローションを拭き取り用品２３の第１側面に適用し、第２ローションを拭き取り用品２３の第２側面に適用する。ローションはまた、例えば、任意の清浄溶液を添加できる前又は後に、拭き取り用品２３にローションを適用することなどで存在し得る任意の清浄溶液とは別に、拭き取り用品２３に含まれる場合もある。特定の実施形態では、１種類以上のローションを拭き取り用品２３の少なくとも一部上に一緒に又は別々に配置してよい。
【００３２】
特定の実施形態では、拭き取り用品２３に含まれる１種類以上のローションは、吸収性物品上に収容される１種類以上のローションの１つ以上の効果に関連し、補完的であり、相乗的であり、又は同一である１つ以上の効果を有することができる。本明細書で使用するとき、用語「関連する」は、論理的に関連性のある特徴を有することを意味する。例えば、臭いの低減効果を付与する２種の異なるローションは、両方のローションが同じ効果を付与することができるため、関連する場合がある。
【００３３】
本明細書で使用するとき、用語「補完的である」は、ユーザが同時に感知したとき、１つの要素を個別に用いる効果とは異なる所望の効果をもたらすことができる２種以上の要素を指す。例えば、臭いを低減する第１ローションと、拭き取り用品の清浄能力を強化する第２ローションと合わせて、爽快さ及び／又は清潔感をもたらすことができる。
【００３４】
本明細書で使用するとき、用語「相乗的である」は、ユーザが同時に感知したとき、ユーザが個別に要素を感知するときの反応より、より強く、又はより望ましい反応をもたらす要素を指す。例えば、ユーザの体への身体排出物付着を低減するローションと、清浄の容易さを改善させるローションは、個別にいずれかのローションによりもたらされる効果と比較して、強化された効果及び／又は爽快さ及び／若しくは清潔感を与えることができる。
【００３５】
特定の実施形態では、吸収性物品の１種類以上のローションと、拭き取り用品の１種類以上のローションは、同一及び／又は実質的に同一であってよい。例えば、拭き取り用品が第１ローションを含み、吸収性物品が不動化剤のような追加成分を更に含む第１ローションを含む場合、吸収性物品及び拭き取り用品は、同一又は実質的に同一であるローションを含むと考えることができる。特定の実施形態では、ローションが同一組成を有する場合、又は組成が異なる場合でも、吸収性物品の１種類以上のローションと、拭き取り用品の１種類以上のローションは同一であると考えることができ、それらは典型的なユーザが感知したとき、容易に認識可能である違いを有しない。
【００３６】
特定の実施形態では、拭き取り用品２３及び／又は吸収性物品上に１種類以上のローションを使用することは、延長された効果をもたらすことができる。即ち、ローションの効果は、拭き取り用品２３又は吸収性物品のいずれかの上に個別にローションを使用するときと比較して、より長い期間持続することができる。拭き取り用品２３上及び／又は吸収性物品上に１種類以上の同一ローションを使用することはまた、相乗的効果をもたらすことができる。例えば、拭き取り用品２３上並びに吸収性物品上に、ユーザの皮膚及び毛髪への身体排出物の付着を低減する同一ローションを使用することは、拭き取り用品２３上又は吸収性物品上のいずれかに個別にローションを使用するときよりも、より効果的である場合がある。
【００３７】
拭き取り用品２３及び／又は吸収性物品に含まれる１種類以上のローションは、拭き取り用品上及び／又は吸収性物品上に使用するのに好適な任意の成分を含んでよい。好適な成分としては、例えば、皮膚軟化剤、不動化剤、皮膚治療剤、鎮静剤若しくは保護剤、植物抽出物、花卉抽出物、水、粘度調整剤、芳香剤、除菌・抗菌活性物質、抗真菌剤、薬剤活性物質、皮膜形成剤、防臭剤、乳白剤、収れん剤、溶媒、及び／又は、例えば、セルロース誘導体、タンパク質、及びレシチンなどの安定剤が挙げられる。
【００３８】
特定の実施形態では、ローションは少なくとも１種類の皮膚軟化剤を含んでよい。本明細書で使用するとき、「皮膚軟化剤」は、皮膚及び毛髪を軟化し、鎮静化し、柔軟化し、被覆し、滑らかにし、保湿し、及び／若しくは清潔にする物質である。例えば、鉱物油及び／若しくはワセリンのなどの石油系の皮膚軟化剤、例えば、パルミチン酸メチル、ステアリン酸メチル、ラウリン酸イソプロピル、ミリスチン酸イソプロピル、パルミチン酸イソプロピル、パルミチン酸エチルヘキシル、乳酸ラウリル、及び／若しくは乳酸セチルなどの脂肪酸エステル型皮膚軟化剤、例えば、ラウリル、セチル及び／若しくはステアリルエトキシレートなどのアルキルエトキシレート型皮膚軟化剤、脂肪酸エステルエトキシレート型皮膚軟化剤、例えば、セチルアルコール及び／若しくはステアリルアルコールなどの脂肪族アルコール型皮膚軟化剤、例えば、ダウ・コーニング（Dow Corning）５５６コスメチック・グレード液、ポリフェニルメチルシロキサン、ダウ２５０２並びにダウ２５０３ポリシロキサン液などのセチル若しくはステアリル官能化（fictionalized）ジメチコン、及び／又は米国特許第５，０５９，２８２号に開示されている化合物のようなポリシロキサン型皮膚軟化剤、並びに／又はこれらの混合物のような、任意の好適な皮膚軟化剤を使用することができる。他の好適な皮膚軟化剤としては、例えば、鯨蝋若しくは他の蝋、脂肪酸、及びステアリン酸のような脂肪族アルコールエーテル、プロポキシル化脂肪族アルコール、多価アルコールの脂肪酸エステル、並びに／又はラノリン及びその誘導体を挙げることができる。
【００３９】
特定の実施形態では、ローションは、少なくとも１種類の皮膚軟化剤と、少なくとも１種類の不動化剤を含んでよく、不動化剤は、ローション組成物が適用される吸収性物品上における皮膚軟化剤を不動化することができる好適な不動化剤としては、例えば、Ｃ１４〜Ｃ２２脂肪族アルコール、例えば、セチルアルコール、ステアリルアルコール、及びこれらの混合物のようなＣ１６〜Ｃ１８脂肪族アルコール、Ｃ１４〜Ｃ２２脂肪酸、例えば、パルミチン酸、ステアリン酸、及びこれらの混合物のようなＣ１６〜Ｃ１８脂肪酸、Ｃ１４〜Ｃ２２脂肪族アルコールエトキシレート、例えば、パルミチン酸ソルビタン（例えば、スパン（SPAN）４０）、ステアリン酸ソルビタン（例えば、スパン６０）、ベヘン酸ソルビタン、モノステアリン酸グリセリン、モノパルミチン酸グリセリン、モノベヘン酸グリセリン、モノステアリン酸スクロース及びジステアリン酸スクロース、並びにモノジラウリン酸スクロース及びジラウリン酸スクロースのようなポリヒドロキシ脂肪酸エステル、ポリヒドロキシ脂肪酸アミド、例えば、カルナウバ、蜜蝋、カンデリラ（catidelilla）、パラフィン、セレシン、エスパルト、オウリクリ（ouricuri）及びレゾワックス（rezowax）のような蝋、並びにこれらの混合物を挙げることができる。
【００４０】
特定の実施形態では、ローションは、例えば、紅斑、悪臭、及び細菌性皮膚疾患の治療及び予防に有益な剤のような、１種類以上の皮膚治療剤を含んでよい。好適な皮膚治療剤としては、例えば、ヘキサミジン、酸化亜鉛、及びナイアシンアミドが挙げられる。
【００４１】
ローションは、任意の好適な方法で吸収性物品に適用することができる。特定の実施形態では、１種類以上のローションは、例えば、生理用ナプキンのトップシートのような吸収性物品の身体面表面に適用できる。任意の様々な適用方法を使用できる。好適な方法としては、噴霧、印刷（例えば、フレキソ印刷）、コーティング（例えば、グラビアコーティング）、押出成形、又は、例えば、カレンダーロールのような回転表面上にローション組成物を噴霧し、次いで生理用ナプキンのトップシートの外表面に組成物を移動させる等の、これらの適用技術の組み合わせが挙げられる。
【００４２】
拭き取り用品２３は、天然繊維、合成繊維、又は基材が紙であるとは考えられない天然繊維と合成繊維の混合の不織布ウェブを含む基材を有する不織布拭き取り用品であってよい。好適な天然繊維としては、例えば、木材パルプ繊維、木綿、及びレーヨンのようなセルロース繊維が挙げられる。好適な合成繊維としては、例えば、ポリエステル及びポリプロピレン繊維のようなポリオレフィンなど、一般的に布地で用いられる繊維が挙げられる。拭き取り用品は、ビスコースレーヨン及び／又は木材パルプを含む基材を有する不織布拭き取り用品であってよい。或いは、拭き取り用品２３は、例えば、トイレットペーパー又はティッシュペーパーに類似する方法で湿式材料から製造される基材を含む拭き取り用品などの、紙拭き取り用品であってよい。特定の実施形態では、拭き取り用品は絹を含んでよい。
【００４３】
拭き取り用品２３は、「フラッシャブル」であってよい。即ち、トイレに流すとき、及び下水道に移送されるとき、下水道のあらゆる要素を塞がないように十分に小さい断片に崩壊し得る大きさである。例えば、パウチ材料などの拭き取り用品に関連する任意の包装材料も、フラッシャブルであることができる。そのような基準に適合する包装材料としては、例えば、シリコーン処理されたポリビニルアルコールフィルム、ポリビニルアルコールでコーティングされたフィルム、及びポリビニルアルコールでコーティングされた又は含浸されたティッシュのような、水溶性材料を挙げることができる。好適な材料は、例えば、米国特許第４，７５５，４２１号に開示されている。
【００４４】
拭き取り用品２３は、吸収性物品の使用又は交換時、皮膚の清浄又は他の効果をもたらすのに好適な、任意の大きさであってよい。特定の実施形態では、拭き取り用品は矩形であってよい。拭き取り用品２３は、約２５平方センチメートル（約４平方インチ）以上、約５０平方センチメートル（約９平方インチ）以上、約１，４５０平方センチメートル（約２２５平方インチ）以下、約１００平方センチメートル（約１６平方インチ）〜約３２０平方センチメートル（約５０平方インチ）、又は約２２５平方センチメートル（約３５平方インチ）の大きさであってよい。
【００４５】
拭き取り用品２３は、液体系の清浄溶液を含む湿潤拭き取り用品であってよい。拭き取り用品２３はまた、或いはよい香りがしてもよい。特定の実施形態では、拭き取り用品２３は、清浄溶液を含浸させた不織布を含んでよい。清浄溶液としては、例えば、界面活性剤、アルコール、芳香剤組成物、抗菌剤、ｐＨ緩衝剤、及びこれらの組み合わせを挙げることができる。拭き取り用品２３は、シリコーンのような、ユーザの体への身体排出物の付着を阻止できる物質を含有してよい。特定の実施形態では、清浄溶液は、例えば、アロエ並びにビタミンＥのようなハンドローションに用いられるものに類似した皮膚コンディショニング物質、例えば、マンサクのような皮膚に適用するための他の物質、又は湿潤拭き取り用品に含むのに当該技術分野で既知である任意の他の物質を含有してよい。
【００４６】
よい香りのする拭き取り用品を製造するために、１種類以上の芳香剤組成物を、清浄溶液に含んでよい。或いは、１種類以上の芳香剤組成物を、例えば、任意の清浄溶液の添加の前又は後に、拭き取り用品２３に芳香剤組成物を適用することにより、任意の清浄溶液とは別に拭き取り用品２３に含んでよい。別の例は、例えば、芳香剤組成物を含むキャリア物質のような別の成分を含む拭き取り用品２３であってよい。更に、１種類以上の芳香剤組成物を、拭き取り用品２３の少なくとも一部の上に一緒に又は別々に配置してよい。
【００４７】
他の実施形態としては、例えば、鉱物油及び米国特許第４，４８１，２４３号に記載されている皮膚軟化剤のような非水性清浄溶液を含有する乾燥拭き取り用品又は拭き取り用品を挙げることができる。
【００４８】
特定の実施形態では、例えば、拭き取り用品２３が、拭き取り用品２３の１側面のみに適用される１種類以上のローションを含む場合があるとき等である。拭き取り用品２３は、拭き取り用品２３のどちらの側を用いるべきか、ユーザへの情報を伝達するために印刷されてよい。例えば、拭き取り用品２３の１側面が印刷され、拭き取り用品２３の他の側面は印刷されていない、又は異なるデザインが印刷されていてよい。湿潤拭き取り用品２３の印刷された１側面は、拭き取り用品２３の他の側面と異なるため、ユーザは汚れた身体領域を清浄にするために、拭き取り用品２３の適切な表面を使用するよう、拭き取り用品２３を正しい方向に置くことができる。拭き取り用品２３のどちらの側面が強化された効果を有するかということについての伝達がユーザに対して明白である限り、拭き取り用品２３のいずれの側面に印刷してもよい。従って、特定の実施形態では、拭き取り用品２３は、拭き取り用品２３の強化された効果を有する側面上が印刷されていてよい。特定の実施形態では、拭き取り用品２３は、拭き取り用品２３の強化された効果を有する側面上の第１印刷と、拭き取り用品２３の反対側面上の第２印刷を有する。例えば、拭き取り用品２３は、第１ローションを有する拭き取り用品２３の側面上には水玉又は花のような画像を印刷し、反対側上に一定のパターンの線を印刷してよく、逆もまた同様である。特定の実施形態では、拭き取り用品２３の強化された効果を有する側面上に、使用法の指示が印刷される。特定の実施形態では、拭き取り用品２３の指示された部分が、優れた保湿、流体除去、改善された清浄、殺菌、改善された柔軟性、又は拭き取り用品２３の感情的応答又は適切な使用を促す他の合図のうちの１つである場合があることを、ユーザが知覚するよう拭き取り用品２３に印刷してよい。
【００４９】
特定の実施形態では、ユーザへ、１種類以上のローションを含む拭き取り用品２３は、拭き取り用品２３が協調的吸収性物品と共に使用されるべきであると情報伝達するために印刷されてよい。拭き取り用品２３、吸収性物品、及び外部パッケージは、それぞれ、例えば、ユーザが吸収性物品上に収容されたローションの相乗的効果を経験できるなどの、拭き取り用品２３及び吸収性物品が一緒に用いられるべきであることを伝達する協調的な様式で印刷されてよい。例えば、拭き取り用品２３、吸収性物品、及び外部パッケージは、それぞれ、同じデザインが印刷されてよく、及び／又は、同じ色合いで印刷若しくは着色されてもよい。かかる配置では、印刷は、例えば、拭き取り用品２３、パウチ２５、吸収性物品、解放式包装紙２２、吸収性物品を収容するパッケージ、及び／又は、例えば、複数の吸収性物品組み合わせ体がパッケージ化された袋若しくは箱のような、外部パッケージ上に配置されてよい。特定の実施形態では、拭き取り用品２３、パウチ２５、吸収性物品、及び／又はパッケージに、対応する吸収性物品及び／又は拭き取り用品２３についての情報を印刷してよい。
【００５０】
拭き取り用品２３、パウチ２５、又は拭き取り用品の外部パッケージはまた、別の方法として、拭き取り用品２３が、取付けられている吸収性物品と協調することを伝達するデザインを印刷してよい。例えば、拭き取り用品２３が接合している吸収性物品上又は吸収性物品のパッケージ上の印刷及び／又は着色と協調し、及び／又は対応するように、拭き取り用品２３を印刷してよい。
【００５１】
特定の実施形態では、拭き取り用品２３は、個別にパッケージ化されてよく、吸収性物品に接合してもよい。１つの個別にパッケージ化された拭き取り用品２３が１つのパッケージ化された吸収性物品に接合してよく、１つ以上の個別にパッケージ化された拭き取り用品２３が１つの個別にパッケージ化された吸収性物品に接合してよく、１つの個別にパッケージ化された拭き取り用品２３が１つ以上の個別にパッケージ化され得る吸収性物品に接合してよく、１つ以上の一緒にパッケージ化された拭き取り用品が１つ以上の個別にパッケージ化された吸収性物品に接合してよく、１つ以上の個別にパッケージ化された拭き取り用品が１つ以上の一緒にパッケージ化された吸収性物品に接合してよく、又は任意の好適な組み合わせでもよい。特定の実施形態では、拭き取り用品は個別にパッケージ化されてよいが、吸収性物品に接合しない。例えば、拭き取り用品は個別のパウチにパッケージ化されてよく、拭き取り用品を収容する複数の個々のパウチが同じ外部パッケージ内に吸収性物品と共にパッケージ化されてよく、又は複数の個々のパウチが吸収性物品の外部パッケージとは異なる外部パッケージにパッケージ化されてもよい。拭き取り用品及び吸収性物品は、例えば、一緒に販売及び／又は使用されるように設計する等、同じ目的のために、共同で販売されてよい。或いは、複数の拭き取り用品を共通のパッケージ内に一緒にパッケージ化し、次いで同じ外部パッケージ内に吸収性物品と共にパッケージ化してよく、又は、複数の拭き取り用品を、吸収性物品とは異なる共通のパッケージ内に一緒にパッケージ化してもよい。特定の実施形態では、複数の個別にパッケージ化された拭き取り用品は、複数の個別にパッケージ化された吸収性物品と共にパッケージ化され、吸収性物品又は拭き取り用品の一方又は両方の個々のパッケージは、例えば、国際特許公開第２００５／１１５２９５号に記載されているような、拭き取り用品２３の吸収性物品への取付けを可能にする取付手段を備える。
【００５２】
特定の実施形態では、拭き取り用品２３はパウチ２５内にパッケージ化されてよい。拭き取り用品２３を保持するための任意の好適なパウチ２５を使用することができる。例えば、パウチは、紙及び／又は、ポリエチレンのような他の好適な材料で製造することができる。拭き取り用品２３が湿潤拭き取り用品であるとき、拭き取り用品２３の水分を維持するのに好適な任意のパウチ２５を用いることができる。例えば、パウチ２５は、使用することができる拭き取り用品２３からの蒸発を防ぐのに好適な少なくとも１種類のバリア材料を含んでよい。好適なバリア材料としては、例えば、エチレンビニルアルコール（ＥＶＯＨ）、プロピレンビニルアルコール（ＰＶＯＨ）、又はＬＤＰＥ（低密度ポリエチレン）のような高分子フィルム層の間に挟まれたアルミニウムの層を有する積層体、アルミニウム処理のような金属で被覆されたプラスチックフィルム、金属箔、配向ポリエチレンテレフタレート（ＰＥＴ）、ＰＥＴＧ（グリコール変性ＰＥＴ）、配向ポリアミド、芳香族ポリアミド、又はポリエチレンフィルムのような高分子フィルムが挙げられる。特定の実施形態では、パウチ２５は、紙及び／又は箔を含む。また、或いは、パウチ２５は、ポリエチレン（ＰＥ）を含む内層、ポリエチレン（ＰＥ）とポリプロピレン（ＰＰ）とのコポリマーを含む外層、及びポリプロピレン（ＰＰ）を含む下方中間層を含んでよい。
【００５３】
特定の実施形態では、パウチ２５の１つ以上の側面を封止し、製品が製造されたときから消費者によって使用されるときまで溶液の大量の蒸発を防ぐことができる。パウチ２５は、各側面を封止してよい。例えば、熱及び／又は圧力封止、超音波封止、糊封止、ダウ社（Dow Company）の「ジップロック（ZIP LOCKS）」のようなチャック式軌道封止システム、又はこれらの組み合わせを含む、任意の数の封止機構を使用することができる。パウチ２５は蒸気不透過性であってよい。特定の実施形態では、パウチ２５を密封することができる。その上、パウチ２５は、更に蒸発を低減するため、箔又は他の好適な材料で裏打ちすることができる。
【００５４】
パウチ２５は、その中に収容されている拭き取り用品２３を利用するために、パウチ２５の封を切る（又は開封する）ための手段を有してよい。例えば、パウチ２５は、タブ、易剥離性ラベル、又は、例えば、掴握するための乾燥縁部（dry edge）を有するステッカーのような「乾燥縁部」ステッカー機構、解放式接着剤、解放式熱及び／若しくは圧力封止、穿孔、破裂封止、引裂封止、など任意の他の開封機構で容易に開封するためのミシン目若しくはダイカット脆弱線を有することができ、又は、パウチ２５は、例えば、易引裂性（easy to tear）フィルムのような比較的易引裂性の材料で製造してもよい。
【００５５】
任意の好適な接合手段は、吸収性物品組み合わせ体のパウチ２５及び吸収性物品を取付けるために使用することができる。特定の実施形態では、拭き取り用品２３のパッケージの外側上での接合手段は、吸収性物品のパッケージと拭き取り用品２３のパッケージとの間に十分な程度の接合が生じるように、選択及び適用してよい。例えば、感圧性接着剤、ホットメルト接着剤、コールドメルト接着剤、又は溶媒系の接着剤のような、任意の好適な接着剤を用いて、吸収性物品と拭き取り用品２３とを接合することができる。接着剤は、連続的コーティング領域として、又は、例えば、水玉、縞、らせん又はビーズのような模様として、吸収性物品及び／又は拭き取り用品２３に適用することができる。特定の実施形態では、吸収性物品及び拭き取り用品２３は、１つ以上の機械的締結具により接合することができる。好適な機械的締結具としては、例えば、フック・ループ式ファスナーが挙げられる。
【００５６】
本明細書に開示される寸法及び値は、列挙された正確な数値に厳しく限定されるものとして理解されるべきではない。それよりむしろ、特に規定がない限り、こうした各寸法は、列挙された値とその値周辺の機能的に同等の範囲の両方を意味することが意図される。例えば、「４０ｍｍ」として開示された寸法は、「約４０ｍｍ」を意味することを意図する。
【００５７】
「発明を実施するための最良の形態」で引用した全ての文書は、関連部分において本明細書に参考として組み込まれるが、いずれの文書の引用も、それが本発明に関して先行技術であることを容認するものとして解釈されるべきではない。この文書における用語のいずれかの意味又は定義が、参照により組み込まれる文献における用語のいずれかの意味又は定義と対立する範囲については、本文書におけるその用語に与えられた意味又は定義を適用するものとする。
【００５８】
本発明の特定の諸実施形態を図示し、記載したが、本発明の趣旨及び範囲から逸脱することなく他の様々な変更及び修正を実施できることが当業者には自明である。従って、本発明の範囲内にあるそのようなすべての変更及び修正を添付の特許請求の範囲で扱うものとする。
【図１】
2009542402.tif 000003
【国際調査報告】
2009542402.tif 000004
2009542402.tif 000005
2009542402.tif 000006